(57)【特許請求の範囲】
【請求項１】
建物開口部に取付けられる窓枠と、窓枠に対して水平軸を中心に開閉可能に装着される障子と、障子の縦框の下端に取り付けられる框端部キャップを有し、
縦框は、中空の縦框本体部と、縦框本体部の外周室外側より外周方向へ延設される気密材保持片を有し、
框端部キャップは、縦框本体部の下端を塞ぐキャップ本体部と、キャップ本体部の室外側から縦框の気密材保持片の下方位置に延設された室外水返し部と、室外水返し部の室内側に設けられ室内外方向に幅を有する下方水返し部を有する
ことを特徴とするサッシ。
【発明の詳細な説明】
【技術分野】
【０００１】
本発明は、建物開口部に取付けられ、水平軸を中心に開閉可能に装着される障子を備える窓に関するものである。
【背景技術】
【０００２】
建物開口部に取付けられる窓枠に対して障子を傾斜状態で開放する外倒し窓等において、窓枠と障子との間に障子の開閉を補助するガススプリング等の付勢手段を配置してなるサッシは知られている（特許文献１）。
（特許文献１）
【先行技術文献】
【特許文献】
【０００３】
【特許文献１】特開２００３−３７３４号公報
【発明の概要】
【発明が解決しようとする課題】
【０００４】
外倒し窓に限らず、降雨時に窓枠の下枠と障子の下框との間からの水の浸入を防止することは周知の課題であるが、下枠と障子の下框との間からの室内への水の浸入として、障子の縦框を伝わって縦框の下端に達した水滴が室外の風等によって室内に吹き込むことが一つの原因となっている。特に、上記特許文献１のサッシにおいては、障子の開閉を補助するガススプリング等の付勢手段を配置することから、窓枠の縦枠と障子の縦框との間に比較的大きな空間が必要となり、該空間の下面から水しぶき等の吹き込みが生じる可能性があった。
また、縦框を伝わってきた水滴がそのまま下框と縦框とに接合部に伝わって沿って室内側に侵入するおそれがあった。
【０００５】
本発明は、上記事情を鑑みたものであり、外倒し窓等の水平軸により開閉するサッシにおいて、縦框を伝わってきた水滴などが、窓枠の縦枠と障子の縦框との間の空間から水しぶき等として室内側に吹き込んだり、下框と縦框との接合部に沿って室内側に伝わることにより室内へ侵入することを防止するものである。
【課題を解決するための手段】
【０００６】
上記課題を解決するための発明は、建物開口部に取付けられる窓枠と、窓枠に対して水平軸を中心に開閉可能に装着される障子と、障子の縦框の下端に取り付けられる框端部キャップを有し、縦框は、中空の縦框本体部と、縦框本体部の外周室外側より外周方向へ延設される気密材保持片を有し、框端部キャップは、縦框本体部の下端を塞ぐキャップ本体部と、キャップ本体部の室外側から縦框の気密材保持片の下方位置に延設された室外水返し部と、室外水返し部の室内側に設けられ室内外方向に幅を有する下方水返し部を有することを特徴とする。
【発明の効果】
【０００７】
請求項１に係る発明により、障子に特別な部材を設けることなく、水滴などが窓枠の縦枠と障子の縦框との間から室内に吹き込むことを防止することができる。
また、請求項２に係る発明により、水が下框と縦框との接合部に沿って室内側へ移動することを防ぐことができ、縦框を伝わってきた水が縦框の下端から室内へ浸入することを防止することができる。
【図面の簡単な説明】
【０００８】
【図１】本発明の実施形態に係るサッシの外観図である。
【図２】本発明の実施形態に係るサッシの障子縦框の下部に取付けられる框下端キャップを説明する図であり、障子の縦框下部と框下端キャップの分解斜視図である。
【図３】本発明の実施形態に係るサッシの障子縦框の下部に取付けられる框下端キャップの斜視図である。
【図４】本発明の実施形態に係るサッシの障子縦框の下部に取付けられる框下端キャップの平面図である。
【図５】本発明の実施形態に係るサッシの障子縦框の下部に取付けられる框下端キャップを説明する図であり、障子の縦框下部に框下端キャップが取付けられた状態の斜視図である。
【図６】本発明の実施形態に係るサッシの障子縦框の下部に框下端キャップが取り付けられた状態を説明する図であり、図４のａ−ａ部分の断面図である。
【図７】本発明の実施形態に係るサッシの障子縦框の下部に框下端キャップが取り付けられた状態を説明する図であり、図４のｂ−ｂ部分の断面図である。
【発明を実施するための形態】
【０００９】
本発明の実施形態のサッシについて、図面を参考にして説明する。
（全体の構成）
図１に示すように、本発明の実施形態のサッシは、アルミニウム等の材料を押出形成してなる上枠１１、下枠１２及び左、右縦枠１３，１４により形成された枠の左右方向中央位置に、同じくアルミニウム等の材料を押出形成してなる方立（縦骨）１５を連結した窓枠１と、上框２１、下框２２、及び左、右縦框２３，２４を四周に組んでその内周にガラス等のパネル体２５が嵌め込まれて構成される障子２とからなり、窓枠１の方立（縦骨）１５の左右に形成された開口に対して、障子２を、水平軸を中心に突き出し開閉自在に設けて構成されている。
【００１０】
（障子の下隅部の構成）
本発明の実施形態のサッシの特徴部分である、障子２の下隅部の構成について、図２を参照しながら、障子２を構成する右縦框２４の下端部を用いて説明する。
右縦框２４は、中空の縦框本体部２４１と、縦框本体部２４１の外周室外側端部より外周方向へ延設される気密材保持片２４２とにより構成されており、気密材保持片２４２の外周端室内側面には、気密材ｓが長手方向全長に亘って配置されている。
一方、下框２２は、下框本体部２２１と、下框本体部２２１の室外側下面から下方に垂下する水返し片２２２とから構成されており、右縦框２４の内周側面の下方位置に下框２２の端面が当接され、右縦框２４の外周側よりネジ等の固定手段により固定することにより障子２が構成している。
【００１１】
右縦框２４の縦框本体部２４１の下端に開口する開口部２４１ａには、下方より框下端キャップ５が挿入されており、障子２の右縦框２４の下端部付近における雨水等の吹き込みを防止している。
以下、框下端キャップ５の構成について、詳細に説明する。
【００１２】
（框下端キャップの構造）
図２に示すように、框下端キャップ５は、縦框本体部２４１の開口部２４１ａに挿入されて開口部２４１ａを塞ぐキャップ本体部５１と、キャップ本体部５１の外周側に連設され、右縦框２４と右縦枠１４の間から室内側に吹き込む雨水等の侵入を阻止するための水返し部５２と、キャップ本体部５１の内周側に連設され、下框２２と右縦框２４との接合部より室内側に入り込む雨水等の侵入を阻止するための水返しブロック部５３とから構成されている。
【００１３】
図３に示すように、キャップ本体部５１は、開口部２４１ａを塞ぐ平板状のキャップ体５１１と、キャップ体５１１の上面に矩形状に配置された壁状部５１２ａにより構成される挿入部５１２とからなり、挿入部５１２を開口部２４１ａに挿入することにより、開口部２４１ａがキャップ体５１１により覆われると共に、框下端キャップ５が右縦框２４の下端に固定される。
挿入部５１２の矩形状に配置された壁状部５１２ａの内側はキャップ体５１１の下方に貫かれて貫通孔５１２ｂが形成されており、右縦框２４の縦框本体部２４１の内部の圧力を外気圧と略同等として水の浸入を防止する共に、浸入した水の排水を可能としている。
また、挿入部５１２を形成する矩形状に配置された壁状部５１２ａには、凹状の切欠５１２ｃが形成されており、右縦框２４に対して下框２２を取り付けるためのネジ等の固定手段との干渉をさけている。
【００１４】
水返し部５２は、キャップ本体部５１の室外側下方位置から右縦框２４の気密材保持片２４２外周側端部位置まで、気密材保持片２４２の下端部に沿って外周方向に延設される室外水返し部５２１と、室外水返し部５２１の室内側に連結壁５２２ａを介して連結される下方水返し部５２２と、室外水返し部５２１の上方に設けられ、キャップ本体部５１を右縦框２４に取り付けたときに気密材保持片２４２の下端室内側面に当接する当接板５２３とから構成されている。
室外水返し部５２１は下方に行くに従って幅が狭くなる板状に形成されており、キャップ本体部５１の室外側下方位置に配置される部分には、補強のための２本のリブ５２１ｂ、５２１ｂが形成され、外周方向端部には右縦框２４の気密材保持片２４２に保持された気密材ｓの下端を保持する保持溝５２１ａが設けられている。
【００１５】
下方水返し部５２２は、室外水返し部５２１の室内面から室内方向に延びる複数の連結壁５２２ａにより支持される立壁部５２２ｂと、立壁部５２２ｂの室内側下方に配置されて上面が室内方向に行くに従って下方に傾斜している傾斜壁５２２ｃとにより構成され、その内周端部は、後述する水返しブロック部５３の外周面に連続している。
【００１６】
水返しブロック部５３は、キャップ本体部５１の室内外方向中央下方位置から内周側に向けて形成されており、隔壁５３ａによって区切られ上下方向に貫通する複数の中空路を有する略矩形ブロック形状をなしている。そして、その上面はキャップ本体部５１のキャップ体５１１の上面よりも上方に突出しており、下枠１２上面の近傍位置から下框２２の下面に至る高さ寸法を備えている。
【００１７】
障子２の下隅部に框下端キャップ５を装着した状態を図５に示す。
右縦框２４の下端に框下端キャップ５が装着されることにより、水返し部５２の当接板５２３が右縦框２４の気密材保持片２４２の下端室内側面に当接するので、框下端キャップ５を安定した状態で固定することができる。
そして、右縦框２４の気密材保持片２４２の下方位置に框下端キャップ５の室外水返し部５２１が配置され、保持溝５２１ａに気密材保持片２４２に保持された気密材ｓの下端が保持されるとともに、框下端キャップ５の室外水返し部５２１の内周側が、下框２２の水返し片２２２と連続するので、室外側からの水の吹き込みを障子２の左右端部に至るまで抑制することができる。
【００１８】
（框下端キャップの働き）
右縦框２４の下端に装着された框下端キャップ５の働きについて、図６，７を示して説明する。
本実施形態にかかるサッシの窓枠１を構成する下枠１２は、障子２の閉鎖時に障子２の下框２２の外周と対向する内周面を形成する下壁部１２１と、下壁部１２１の室外側下方に設けられる水切り部１２２と、下壁部１２１の室内側に立ち上がる中空の立上り壁１２３とから構成されている。
そして、降雨等により障子２の室外側面に付着し水は、障子２の室外側面を下降して下框２２の水返し片２２２の下端よりしたたり落ちるが、その際に、水が風等により吹き上げられたとしても、吹き上げられた水は、下框２２の下面にあたって室内側にまで達することはほとんどない。
【００１９】
しかしながら、図６に示すような、縦枠と右縦框２４との間の空間においては、障子２の室外側面、特に、右縦框２４の室外側面を伝わって降下してきた水が風等により吹き上げられた場合には、矢印Ａで示すように、右の縦枠と右縦框２４との間の空間においては室内に向けて吹き込まれる可能性があった。
【００２０】
そのような水の吹き上げを防止するために、本実施形態のサッシでは、右縦框２４の下端に装着される框下端キャップ５に、右縦框２４の外周側に延出する水返し部である下方水返し部５２２を設けることにより、縦枠と右縦框２４との間の空間を通って吹き上げられる水の室内への侵入を防止している（矢印Ｂ）。
【００２１】
下方水返し部５２２は、所定高さを有する立壁部５２２ｂ及び室内外方向に所定幅を有する傾斜壁５２２ｃとを備えており、傾斜壁５２２ｃの下面が下枠１２の下壁部１２１と対向するように配置されているので、所定高さの立壁部５２２ｂにより吹き上げられる水の幅広い進入角度に対してその浸入を防止することができ、室内外方向に所定幅を有する傾斜壁５２２ｃにより下方水返し部５２２と下枠１２との間からの浸入を確実に防ぐことができる。
また、立壁部５２２ｂ及び傾斜壁５２２ｃが、複数の連結壁５２２ａにより室外水返し部５２１に支持されているので、下方水返し部５２２の上面に水が溜まることがなく、衛生的である。
【００２２】
一方、図７に示すような、右縦框２４と下框２２との接合部近傍における下框２２の下方位置については、矢印Ｃで示すように、右縦框２４と下框２２との接合部から水が入り込み、室内に浸入する可能性があった。
そのような水の浸入を防止するために、本実施形態のサッシでは、右縦框２４の下端に装着される框下端キャップ５に、右縦框２４の内周側に延出する水返し部である水返しブロック部５３を設けることにより、右縦框２４と下框２２との接合部から入り込む水の室内への侵入を防止している。
【００２３】
そして、水返しブロック部５３の上端が下框２２の下面にまで至るので、右縦框２４と下框２２との接合部から入り込み、下框２２の下面を室内側へ伝わる水の浸入を確実に防止することができる（矢印Ｄ）。
また、水返しブロック部５３は、隔壁５３ａによって区切られ上下方向に貫通する複数の中空路により形成されているので、その上面に水が溜まることがなく、衛生的である。
なお、水返しブロック部５３の上端は、必ずしも下框２２の下面にまで至る必要はなく、下框２２の下面に当接せずに若干の隙間が存在する状態でも、水の浸入を防止することはできる。
【００２４】
以上のように、本実施形態のサッシは、縦框の端部開口を塞ぐための框下端キャップに縦框の外周側に延出する水返し部である下方水返し部を設けたので、障子の縦框と窓枠との間の空間に下方から吹き上げられる雨水等の障害となって室内への侵入を防止できる。また、縦框の内周側に延出する水返し部である水返しブロック部を設けたので、縦框と下框との接合部から入り込む水の侵入を防止することができる。
そして、本実施形態のサッシは、どのようなサッシについても採用可能ではあるが、特に、障子の縦框と窓枠との間に比較的広い空間が必要となる突き出し窓等においては、優れた効果を発揮することができる。
【符号の説明】
【００２５】
１        ：窓枠
１１      ：上枠
１２      ：下枠
１２１    ：下壁部
１２２    ：水切り部
１２３    ：立上り壁
１３      ：右縦枠
１４      ：右縦枠
２        ：障子
２１      ：上框
２２      ：下框
２２１    ：下框本体部
２２２    ：水返し片
２３      ：右縦框
２４      ：右縦框
２４１    ：縦框本体部
２４１ａ  ：開口部
２４２    ：気密材保持片
２５      ：パネル体
５        ：框下端キャップ
５１      ：キャップ本体部
５１１    ：キャップ体
５１２    ：挿入部
５１２ａ  ：壁状部
５１２ｂ  ：貫通孔
５１２ｃ  ：切欠
５２      ：水返し部
５２１    ：室外水返し部
５２１ａ  ：保持溝
５２１ｂ  ：リブ
５２２    ：下方水返し部
５２２ａ  ：連結壁
５２２ｂ  ：立壁部
５２２ｃ  ：傾斜壁
５２３    ：当接板
５３      ：水返しブロック部
５３ａ    ：隔壁
Ａ        ：矢印
Ｂ        ：矢印
Ｃ        ：矢印
ｓ        ：気密材
【図１】
0006482326.tif 000002
【図２】
0006482326.tif 000003
【図３】
0006482326.tif 000004
【図４】
0006482326.tif 000005
【図５】
0006482326.tif 000006
【図６】
0006482326.tif 000007
【図７】
0006482326.tif 000008